(57)【要約】【課題】主局と従局とがポーリング方式により通信を行う通信システム及び通信装置並びに通信方法に関し、効率よく通信を行える通信システム及び通信装置並びに通信方法を提供することを目的とする。【解決手段】本発明は、通信要求を送信する主局側通信装置（１１）と、該主局側通信装置（１１）からの要求に応じて情報を該主局側通信装置（１１）に送信する従局側通信装置（１２）とを含む通信システム（１）において、前記主局側通信装置（１１）は、前記従局側通信装置（１２）のすべてに対して通信を許可する装置を識別する識別情報及び通信を許可する時間情報を含む通信要求を送信し、前記従局側通信装置（１２）は、前記主局側通信装置（１１）からの前記通信要求に応じて前記主局側通信装置（１１）に情報を送信することを特徴とする。【選択図】  図１
2005057355.tif 000002
【特許請求の範囲】
【請求項１】
送信要求を送信する主局側通信装置と、該主局側通信装置からの送信要求に応じて情報を該主局側通信装置に送信する従局側通信装置とを含む通信システムにおいて、
前記主局側通信装置は、前記従局側通信装置のすべてに対して送信を許可する従局側通信装置を識別する識別情報及び通信を許可する時間情報を含む送信要求を一括して送信し、
前記従局側通信装置は、前記主局側通信装置からの前記送信要求に基づいて前記主局側通信装置に情報を送信することを特徴とする通信システム。
【請求項２】
前記送信要求には、前記識別情報により送信が許可されたすべての従局側通信装置に対して共通の送信時間情報が設定されたことを特徴とする請求項１記載の通信システム。
【請求項３】
前記送信要求には、前記識別情報により送信が許可された従局側通信装置毎に異なる送信時間情報が設定されたことを特徴とする請求項１記載の通信システム。
【請求項４】
従局側通信装置に送信要求を送信し、該送信要求に基づいて該従局側通信装置から情報を取得する通信装置において、
前記従局側通信装置のすべてに対して通信を許可する装置を識別する識別情報及び通信を許可する時間情報を含む送信要求を生成する送信要求生成手段と、
前記送信要求生成手段で生成された前記送信要求を前記従局側通信装置に一括して送信する送信制御手段とを有することを特徴とする通信装置。
【請求項５】
主局側通信装置から送信された送信要求に基づいて該主局側通信装置に情報を送信する通信装置において、
前記主局側通信装置から通信を許可する装置を識別する識別情報及び送信を許可する時間情報を含む送信要求を受信して、
前記送信要求に含まれる前記識別情報及び前記時間情報に基づいて通信休止時間を算出する通信休止時間算出手段と、
前記通信休止時間算出手段と算出された通信休止時間に通信動作を休止させる通信休止制御手段とを有することを特徴とする通信装置。
【請求項６】
主局側通信装置から通信要求を送信し、該主局側通信装置からの要求に応じて従局側通信装置から情報を該主局側通信装置に送信する通信方法において、
前記主局側通信装置から、前記従局側通信装置のすべてに対して通信を許可する装置を識別する識別情報及び通信を許可する時間情報を含む通信要求を一括して送信する手順と、
前記主局側通信装置からの前記通信要求に応じて前記従局側通信装置から前記主局側通信装置に情報を送信する手順とを有することを特徴とする通信方法。
【発明の詳細な説明】
【０００１】
【発明の属する技術分野】
本発明は通信システム及び通信装置並びに通信方法に係り、特に、主局と従局とがポーリング方式により通信を行う通信システム及び通信装置並びに通信方法に関する。
【０００２】
【従来の技術】
従来のポーリング通信方式では、主局が予め登録された従局に対して順次にポールすることにより主局が従局から情報を取得していた。
【０００３】
図１０はポーリング通信方式のシステム構成図を示す。
【０００４】
ポーリング通信システム１は、主局側通信装置１１と、主局側通信装置１１に予め登録された複数の従局側通信装置１２とがネットワーク１３を介して通信可能な構成とされている。
【０００５】
図１１は従来のポーリング通信方式の動作説明図を示す。図１１は主局側通信装置１１が予め登録された♯０〜♯７の８つの従局側通信装置１２とポーリング方式の通信を行う場合の動作を説明するための図である。なお、図１１においてＡＰ（ａｃｃｅｓｓ  ｐｏｉｎｔ）は主局側通信装置１１を示し、ＳＴＡ（ｓｔａｔｉｏｎ）は従局側通信装置１２を示している。
【０００６】
まず、時間Ｔ１０で主局側通信装置１１は、♯０〜♯７のうちの♯０の従局側通信装置１２に送信要求Ｐｏｌｌを送信する。♯０の従局側通信装置１２は、時間Ｔ１０で主局側通信装置１１に送信要求Ｐｏｌｌを受信すると、時間Ｔ１１で主局側通信装置１１にデータを送信する。また、主局側通信装置１１は、時間Ｔ１１で従局側通信装置１２から送信されたデータを受信する。
【０００７】
次に、時間Ｔ１２で主局側通信装置１１は、♯０〜♯７のうちの♯１の従局側通信装置１２に送信要求Ｐｏｌｌを送信する。♯１の従局側通信装置１２は、時間Ｔ１２で主局側通信装置１１に送信要求Ｐｏｌｌを受信すると、時間Ｔ１３で主局側通信装置１１にデータを送信する。また、主局側通信装置１１は、時間Ｔ１３で従局側通信装置１２から送信されたデータを受信する。
【０００８】
次に、時間Ｔ１４で主局側通信装置１１は、♯０〜♯７のうちの♯２の従局側通信装置１２に送信要求Ｐｏｌｌを送信する。♯２の従局側通信装置１２は、時間Ｔ１４で主局側通信装置１１に送信要求Ｐｏｌｌを受信すると、時間Ｔ１５で主局側通信装置１１にデータを送信する。また、主局側通信装置１１は、時間Ｔ１５で従局側通信装置１２から送信されたデータを受信する。主局側通信装置１１は、同様にして、♯７の従局側通信装置１２まで順次に送信要求Ｐｏｌｌを送信し、対応する従局側通信装置１２からのデータを受信する。
【０００９】
【特許文献１】特開平８−２８８９５５号公報（第３図）
【００１０】
【発明が解決しようとする課題】
しかるに、従来のこの種の通信方式では、主局が予め登録された従局に対して順次にポールを与えていたため、各従局に各々ポールを与える必要があるので、従局数が増加するに伴い、ポールを送る時間が増加し、通信効率が低下する。
【００１１】
また、従局側では、主局から何時ポールが送られてくるかわからないため、常に受信状態と保つ必要があるため、消費電力を押えることが困難である。
【００１２】
本発明は上記の点に鑑みてなされたもので、効率よく通信を行える通信システム及び通信装置並びに通信方法を提供することを目的とする。
【００１３】
【課題を解決するための手段】
本発明は、通信要求を送信する主局側通信装置（１１）と、該主局側通信装置（１１）からの要求に応じて情報を該主局側通信装置（１１）に送信する従局側通信装置（１２）とを含む通信システム（１）において、前記主局側通信装置（１１）は、前記従局側通信装置（１２）のすべてに対して通信を許可する装置を識別する識別情報及び通信を許可する時間情報を含む通信要求を送信し、前記従局側通信装置（１２）は、前記主局側通信装置（１１）からの前記通信要求に応じて前記主局側通信装置（１１）に情報を送信することを特徴とする。
【００１４】
本発明によれば、従局側通信装置（１２）のすべてに対して通信を許可する装置を識別する識別情報及び通信を許可する時間情報を含む通信要求を送信し、従局側通信装置（１２）が主局側通信装置（１１）からの通信要求に応じて主局側通信装置（１１）に情報を送信することにより、従局側通信装置（１２）は予め通信許可の有無及び通信時間を認識しているので、自装置の通信時間だけ通信動作を行えばよいので、効率よく通信を行える。また、主局側通信装置（１１）は、情報と取得すべき従局側通信装置（１２）からの情報をだけ受信すればよいので、無用な通信時間を設ける必要がなく、よって、効率よく通信を行える。
【００１５】
【発明を実施の形態】
〔システム構成〕
図１は本発明の一実施例のシステム構成図を示す。
【００１６】
本実施例の通信システム１００は、複数の端末装置１１１、１１２−１〜１１２−ｎの間でネットワーク１１３を介して通信を行うシステムである。
【００１７】
端末装置１１１は、アクセスポイント、すなわち、主局として機能する通信装置１２１を有する。また、端末装置１１２−１〜１１２−ｎは、ステーション、すなわち、従局として機能する通信装置１２２を有する。
〔主局側通信装置１２１〕
図２は主局側通信装置１２１のブロック構成図を示す。
【００１８】
主局側通信装置１２１は、インタフェース部１３１、通信コントローラ１３２、メモリ１３３、ドライバ１３４、アンテナ１３５から構成されている。
【００１９】
インタフェース部１３１は、端末装置１１１内部の上位装置とのインタフェースをとる。通信コントローラ１３２は、上位装置と情報の授受を行うとともに、送信要求の発行などの処理を行う。メモリ１３３は、ＲＡＭ、ＲＯＭなどから構成され、通信コントローラ１３２のプログラムメモリ、送受信データのバッファ、作業用記憶領域として用いられる。
【００２０】
ドライバ１３４は、送信要求や送信データを変調し、増幅して、アンテナ１３５に供給するとともに、アンテナ１３５で受信した従局側通信装置１２２からの受信信号を増幅し、復調して、通信コントローラ１３２に供給する。
【００２１】
次に主局側通信装置１２１の処理について説明する。
【００２２】
図３は主局側通信装置１２１の処理フローチャートを示す。
【００２３】
主局側通信装置１２１は、ステップＳ１−１で従局側通信装置１２２に送信要求を送信する。
【００２４】
ここで、従局側通信装置１２２に送信される送信要求のデータ構造について説明する。
【００２５】
図４は送信要求のデータ構成図を示す。図４（Ａ）は送信要求のデータ構成、図４（Ｂ）は送信要求ビットマップ情報２１４のデータ構成を示す。
【００２６】
送信要求２１０は、ヘッダ２１１、送信許可時間情報２１２、ビットマップカウント値２１３、送信要求ビットマップ情報２１４から構成される。
【００２７】
ヘッダ２１１は、送信先アドレスなどを指示するための情報であり、ここでは、すべての従局側通信装置１２２が指示される。送信許可時間情報２１２は、各従局側通信装置１２２に割り当てられた送信許可時間を示す情報である。ビットマップカウント値２１３は、次に現れる送信要求ビットマップ情報２１４のデータ長を示す情報であり、オクテット（ｏｃｔｅｔ）数を示す。なお、１オクテットは、例えば、８ビットであり、ビットマップカウント値２１３の値「ｎ」に「８」をかけた数「ｎ＊８」が次の送信要求ビットマップ情報２１４のビット数となる。
【００２８】
送信要求ビットマップ情報２１４はビットマップカウント値２１３の値「ｎ」に「８」をかけたビット数から構成されており、図４（Ｂ）に示すように先頭のビットからそのビット順にＡＩＤ（ａｓｓｏｃｉａｔｉｏｎ  ＩＤ）が順次に割り当てられている。すなわち、送信要求ビットマップ情報２１４の第１ビット（先頭ビット）にはＡＩＤ♯０、第２ビットにはＡＩＤ♯１、第３ビットにはＡＩＤ♯２が割り当て、以下同様に順次にＡＩＤが割り当てられている。
【００２９】
この送信要求ビットマップ情報２１４のビットの値が「１」のとき、そのビットに対応するＡＩＤの従局側通信装置１２２に送信が許可され、ビットの値が「０」のとき、そのビットに対応するＡＩＤの従局側通信装置１２２の送信は不許可となる。従局側通信装置１２２は、送信要求ビットマップ情報２１４を参照することにより、送信が許可されているか否かを判定する。また、送信が許可された従局側通信装置１２２は、送信要求ビットマップ情報２１４で自装置の前のビットまでの「１」の数をカウントし、そのカウント値に、送信許可時間情報２１２に設定された送信許可時間を乗算することにより送信要求を受信した後の待機時間を算出する。従局側通信装置１２２は、送信要求を受信した後、算出された待機時間、待機した後に、送信許可時間情報２１２に設定された送信許可時間の間に主局側通信装置１２１に情報を送信する。なお、従局側通信装置１２２は送信許可時間の間に情報を送信しきれない場合には、情報を送信しないように制御される。
【００３０】
また、送信許可時間情報２１２に設定された送信許可時間と送信要求ビットマップ情報２１４に設定された「１」のビットの総数とを乗算することにより次に送信要求が送信されるまでの待機時間を算出できる。
【００３１】
なお、送信要求ビットマップ情報２１４は、ビットマップカウント値２１３の値によりそのビット長が管理されており、ビットマップカウント値２１３の値が「１」増減することにより、８ビット毎にそのビット数が増減する。ビットマップカウント値２１３は、送信要求ビットマップ情報２１４のビット数が従局側通信装置１２２の数以上となるように設定される。
【００３２】
図３に戻って説明を続ける。
【００３３】
主局側通信装置１２１は、ステップＳ１−１で送信要求を従局側通信装置１２２に送信し、ステップＳ１−２で、送信要求により送信を許可した従局側通信装置１２２からの情報を受信し終わり、ステップＳ１−３で従局側通信装置１２２との通信を終了するか否かを判定する。主局側通信装置１２１は、ステップＳ１−３で通信が終了しない場合には、ステップＳ１−１に戻って、再び送信要求を従局側通信装置１２２に送信する。上記主局側通信装置１２１は、ステップＳ１−１〜Ｓ１−３を繰り返すことにより、従局側通信装置１２２から情報を取得する。
【００３４】
なお、このとき、主局側通信装置１２１は、上位装置側からの指示に基づいて送信許可時間及び送信対象となる従局側通信装置１２２を決定し、上記図４に示すような送信要求を作成している。
〔従局側通信装置１２２−１〜１２２−ｎ〕
次に従局側通信装置１２２−１〜１２２−ｎについて説明する。なお、従局側通信装置１２２−１〜１２２−ｎは同じ構成であり、ＡＩＤが互いに異なる装置であるので、ここでは、従局側通信装置１２２−１〜１２２−ｎのうちの所定の従局側通信装置１２２−ｉについて説明する。
【００３５】
図５は従局側通信装置１２２―ｉのブロック構成図を示す。
【００３６】
従局側通信装置１２２−ｉは、アンテナ１４１、ドライバ１４２、通信コントローラ１４３、メモリ１４４、インタフェース部１４５、パワー制御部１４６、電池１４７から構成されている。
【００３７】
ドライバ１４２は、アンテナ１４１で受信された信号を増幅し、復調して、通信コントローラ１４３に供給するとともに、通信コントローラ１４３からの送信情報を変調し、増幅してアンテナ１４１に供給する。通信コントローラ１４３は、主局側通信装置１２１からの送信要求を受信して、送信要求を解析し、その解析結果に基づいて自装置から主局側通信装置１２１への送信制御及びパワーコントロールを行う。
【００３８】
メモリ１４４は、ＲＡＭ、ＲＯＭなどから構成され、通信コントローラ１４３のプログラムメモリ、送受信データのバッファ、作業用記憶領域として用いられる。インタフェース部１４５は、通信コントローラ１４３と装置内部の上位装置とのインタフェースをとる。パワー制御部１４６は、通信コントローラ１４３からの制御信号に応じて電池１４７からドライバ１４２などへのパワーサプライを制御する。
【００３９】
図６は従局側通信装置１２２―ｉの処理フローチャートを示す。
【００４０】
従局側通信装置１２２−ｉは、ステップＳ２−１で主局側通信装置１２１から送信要求を受信すると、ステップＳ２−２でその内容を解析する。なお、送信要求か否かは、送信要求のヘッダ２１１を解析することにより認識できる。
【００４１】
従局側通信装置１２２−ｉは、ステップＳ２−２で送信要求２１０を解析し、送信許可時間情報２１２から送信許可時間を取得するとともに、送信要求ビットマップ２１４から「１」のビットのＡＩＤ及びその総数を取得する。従局側通信装置１２２−ｉでは、送信許可時間と送信要求ビットマップ２１４の「１」のビットの総数とを乗算することにより次の送信要求２１０を受信するまでの待機時間を算出するとともに、送信許可時間と送信要求ビットマップ２１４の自装置ＡＩＤより前のＡＩＤまでの「１」のビットの和とを乗算することにより自装置が送信を行うまでの待機時間を算出する。
【００４２】
従局側通信装置１２２−ｉは、ステップＳ２−３で内蔵タイマをスタートさせ、上記待機時間の計時を開始する。従局側通信装置１２２−ｉは、ステップＳ２−４でスリープモードに移行する。従局側通信装置１２２−ｉは、スリープモードになると、パワー制御部１４６を制御してドライバ１４２への給電を停止させるとともに、内蔵タイマの計時機能などを除く他の機能を停止させる。これにより、消費電力を大幅に低減できる。
【００４３】
従局側通信装置１２２−ｉは、ステップＳ２−５で内蔵タイマの計時時間が自装置の送信時間に達すると、ステップＳ２−６で通信モードに移行する。従局側通信装置１２２−ｉは、通信モードになると、通信コントローラ１４３の少なくとも情報を送信させるための機能を動作させるとともに、ドライバ１４２に電池１４７から電源が供給されるようにパワー制御部１４６を制御する。以上により従局側通信装置１２２−ｉから情報が送信可能となる。
【００４４】
従局側通信装置１２２−ｉは、ステップＳ２−７で主局側通信装置１２１に情報を送信する。従局側通信装置１２２−ｉは、ステップＳ２−８で送信許可時間が完了するまでの間に情報を送信し、送信許可時間が完了すると、ステップＳ２−１０で、ステップＳ２−９で送信要求受信時刻になるまで再びスリープモードに移行する。従局側通信装置１２２−ｉは、ステップＳ２−９で送信要求受信時刻になると、ステップＳ２−１に戻って再び送信要求を受信し、送信要求に応じて送信制御を行う。
【００４５】
本実施例の従局側通信装置１２２−ｉでは、主局側通信装置１２１から送信要求２１０を受信するとき、及び、送信要求２１０に基づいて自装置が送信許可されている所定の時間だけ動作を行い、残りの時間はスリープ状態とすることができるため、消費電力を大幅に低減できる。
〔動作説明〕
次に、通信システム全体動作を説明する。
【００４６】
図７は本発明の一実施例の動作説明図を示す。同図中、横軸は時間を示す。なお、本実施例では、説明を簡単にするために、ＡＩＤ♯０〜♯７の８つの従局側通信装置が主局側通信装置１２１と通信可能とされており、そのうちのＡＩＤ♯１、♯４、♯５に送信許可が通知された場合について説明する。
【００４７】
時刻ｔ１１でアクセスポイント（ＡＰ）である主局側通信装置１２１から送信要求１２０が送信されると、ステーション（ＳＴＡ）であるＡＩＤ♯０〜♯７のすべての従局側通信装置がこれを受信する。次に時刻ｔ１２で、従局側通信装置のうちＡＩＤ♯１は送信要求の受信が終了すると、送信許可時間Ｔ０の間、情報を送信する。このとき、他のＡＩＤ♯０、♯２〜♯７の従局側通信装置は、スリープ状態となる。
【００４８】
次に時刻ｔ１３で従局側通信装置のうちＡＩＤ♯４が送信許可時間Ｔ０の間、情報を送信する。このとき、他のＡＩＤ♯０〜♯３、♯５〜♯７の従局側通信装置は、スリープ状態となる。次に時刻ｔ１４で従局側通信装置のうちＡＩＤ♯５が送信許可時間Ｔ０の間、情報を送信する。このとき、他のＡＩＤ♯０〜♯４、♯６、♯７の従局側通信装置は、スリープ状態となる。
【００４９】
次に時刻ｔ１５で送信要求ビットマップ情報２１４に「１」が設定されたビットに対応するＡＩＤ♯１、♯４、♯５の従局側通信装置からの情報送信が完了すると、主局側通信装置１２１からＡＩＤ♯０〜♯７に対して送信要求が送信される。
【００５０】
以上のように本実施例によれば、主局側通信装置１２１は、１回の通信要求（ｐｏｌｌ）で情報の送信を要求できる。また、従局側通信装置１２２−ｉは、主局側通信装置１２１からの通信要求に応じて自装置の送信タイミング及び次回の主局側通信装置１２１から送信される送信要求タイミングを予測できるので、その他の時間をスリープ状態とすることができるため、消費電力を低減できる。
【００５１】
このように本実施例によれば、送信フレームのオーバーヘッドを削減することができるため、パフォーマンスを向上させることができる。
〔変形例〕
なお、上記実施例では、従局側通信装置によらず一定の送信許可時間を与えるようにしたが、送信を許可する従局側通信装置毎に別々に送信許可時間を設定するようにしてもよい。
【００５２】
図８は送信要求２１０の変形例のデータ構成図を示す。同図中、図４と同一構成部分には同一符号を付し、その説明は省略する。
【００５３】
本変形例の送信要求２１０は、送信時間情報２１２が情報時間情報カウント値３１１及び送信時間情報群３１２から構成されている。
【００５４】
送信時間カウント値３１１には、送信時間情報群３１２のオクテッド数が設定される。オクテッド数は、例えば、送信要求ビットマップ情報２１４に設定される値が「１」のビットの総数に相当する。図８に示すようにＡＩＤ♯１、♯４、♯５の従局側通信装置に対して送信を許可する場合には、その総数「３」が設定される。
【００５５】
送信時間情報群３１２には、送信時間カウント値数分の送信時間が設定される。図８に示すようにＡＩＤ♯１、♯４、♯５の従局側通信装置に対して送信を許可する場合には、３つの送信時間情報３１２−１〜３１２−３が設定される。送信時間情報３１２−１は、送信要求ビットマップ情報２１４のうち最初に値が「１」となるビットに対応するＡＩＤ♯１の従局側通信装置に設定された送信時間となる。また、送信時間情報３１２−２は、送信要求ビットマップ情報２１４のうち２番目に値が「１」となるビットに対応するＡＩＤ♯４の従局側通信装置に設定された送信時間となる。さらに、送信時間情報３１２−３は、送信要求ビットマップ情報２１４のうち３番目に値が「１」となるビットに対応するＡＩＤ♯５の従局側通信装置に設定された送信時間となる。
【００５６】
以上のように本変形例の送信要求２１０によれば、送信許可された従局側通信装置毎に送信時間を設定できる。
【００５７】
図９は本発明の一実施例の変形例の動作説明図を示す。なお、本実施例では、説明を簡単にするために、ＡＩＤ♯０〜♯７の８つの従局側通信装置が主局側通信装置１２１と通信可能とされており、そのうちＡＩＤ♯１、♯４、♯５に送信許可が通知された場合について説明する。
【００５８】
時刻ｔ２１でアクセスポイント（ＡＰ）である主局側通信装置１２１から送信要求１２０が送信されると、ステーション（ＳＴＡ）であるＡＩＤ♯０〜♯７のすべての従局側通信装置がこれを受信する。次に時刻ｔ２２で送信要求の受信が終了すると、従局側通信装置のうちＡＩＤ♯１は送信時間情報３１２−１に設定された送信許可時間Ｔ１の間、情報を送信する。このとき、他のＡＩＤ♯０、♯２〜♯７の従局側通信装置は、スリープ状態となる。
【００５９】
次に時刻ｔ２３で従局側通信装置のうちＡＩＤ♯４が送信時間情報３１２−２に設定された送信許可時間Ｔ２の間、情報を送信する。このとき、他のＡＩＤ♯０〜♯３、♯５〜♯７の従局側通信装置は、スリープ状態となる。次に時刻ｔ２４で従局側通信装置のうちＡＩＤ♯５が送信時間情報３１２−３に設定された送信許可時間Ｔ３の間、情報を送信する。このとき、他のＡＩＤ♯０〜♯４、♯６、♯７の従局側通信装置は、スリープ状態となる。
【００６０】
次に時刻ｔ２５で送信要求ビットマップ情報２１４に「１」が設定されたビットに対応するＡＩＤ♯１、♯４、♯５の従局側通信装置からの情報送信が完了すると、主局側通信装置１２１からＡＩＤ♯０〜♯７に対して再び送信要求が送信される。
【００６１】
以上のように本実施例によれば、主局側通信装置１２１からの設定により従局側通信装置毎に異なる送信時間を設定でき、各従局側通信装置からの送信情報に適した送信時間を設定できるため、さらに、効率よく情報の送信を行うことができ、よって、更に消費電力の低減が図れる。
【００６２】
【発明の効果】
本発明によれば、従局側通信装置のすべてに対して通信を許可する装置を識別する識別情報及び通信を許可する時間情報を含む通信要求を送信し、従局側通信装置が主局側通信装置からの通信要求に応じて主局側通信装置に情報を送信することにより、従局側通信装置は予め通信許可の有無及び通信時間を認識しているので、自装置の通信時間だけ通信動作を行えばよいので、効率よく通信を行える。また、主局側通信装置は、情報と取得すべき従局側通信装置からの情報をだけ受信すればよいので、無用な通信時間を設ける必要がなく、よって、効率よく通信を行える等の特長を有する。
【図面の簡単な説明】
【図１】本発明の一実施例のシステム構成図である。
【図２】主局側通信装置１２１のブロック構成図である。
【図３】主局側通信装置１２１の処理フローチャートである。
【図４】送信要求２１０のデータ構成図である。
【図５】従局側通信装置１２２のブロック構成図である。
【図６】従局側通信装置１２２の処理フローチャートである。
【図７】本発明の一実施例の動作説明図である。
【図８】送信要求２１０の変形例のデータ構成図である。
【図９】本発明の一実施例の変形例の動作説明図である。
【図１０】ポーリング通信方式のシステム構成図である
【図１１】従来のポーリング通信方式の動作説明図である。
【符号の説明】
１００  通信システム
１１１、１１２−１〜１１２−ｎ  端末装置、１１３  ネットワーク
１２１  主局側通信装置
１２２−１〜１２２−ｎ、１２２−ｉ  従局側通信装置
１３１、１４５  インタフェース部、１３２、１４３  通信コントローラ
１３３、１４４  メモリ、１３４、１４２  ドライバ
１３５、１４１  アンテナ
１４６  パワー制御部、１４７  電池
２１０  送信要求
２１１  ヘッダ、２１２  送信時間情報、２１３  ビットマップカウント値
２１４  送信要求ビットマップ情報
３１１  送信時間情報カウント値、３１２  送信時間情報群
３１２−１〜３１２−３  送信時間情報
【図１】
2005057355.tif 000003
【図２】
2005057355.tif 000004
【図３】
2005057355.tif 000005
【図４】
2005057355.tif 000006
【図５】
2005057355.tif 000007
【図６】
2005057355.tif 000008
【図７】
2005057355.tif 000009
【図８】
2005057355.tif 000010
【図９】
2005057355.tif 000011
【図１０】
2005057355.tif 000012
【図１１】
2005057355.tif 000013